(57)【要約】【課題】主に下腹部を強力に斜め上方に持ち上げ、合目的的に腹部形状を整え、腹部シルエットを美しく見せる体形補整用ボトム衣料を提供する。【解決手段】衣料本体を構成する伸縮性の衣料本体表布１７と、衣料本体の前面裏側に配置された２枚の伸縮性腹部裏打ち布２・３とを有し、２枚の伸縮性腹部裏打ち布２，３のそれぞれの主伸縮力方向２０・２１が角度をもってＶ字状に交差するように重ね合わせられ、それぞれの左右端部が衣料本体表布１７に接合され、かつ接合部位の任意の点からその対向する他方接合部位に達するまでの距離である伸縮性腹部裏打ち布の寸法Ｌが、当該対向する２点間２２・２３における衣料本体表布の寸法（Ｌ’）よりも常に短く構成されている。【選択図】図２
2007247117.tif 000002
【特許請求の範囲】
【請求項１】
着用時に少なくとも下腹とヒップとを覆い、伸縮して下腹を押さえることのできる表面左右対称形状の体形補整用ボトム衣料であって、
衣料本体を構成する伸縮性の衣料本体表布（17）と、
前記衣料本体の前面裏側に配置された２枚の伸縮性腹部裏打ち布（2・3）と、
を有してなり、
前記２枚の伸縮性腹部裏打ち布（2・3）は、それぞれの主伸縮力方向が角度をもって交差するように重ね合わされ、かつ前記衣料本体の左右対称軸を挟んで対向する両端部(5・13、6・14)近傍が、それぞれ前記衣料本体表布（17）に接合されており、
前記接合された部位の任意の点（22）から前記左右対称軸に降ろした垂線が当該対称軸を挟んで対向する他方接合部位点（23）に達するまでの距離である伸縮性腹部裏打ち布（2・3）の展開時寸法が、当該対向する２点間における衣料本体表布の寸法よりも常に短い、
ことを特徴とする体形補整用ボトム衣料。
【請求項２】
請求項１に記載の体形補整用ボトム衣料において、
前記２枚の伸縮性腹部裏打ち布（2・3）のそれぞれは、前記左右対称軸に対し主伸縮力方向が４０度以上、８０度以下となるように配置されている、
ことを特徴とする体形補整用ボトム衣料。
【請求項３】
請求項１に記載の体形補整用ボトム衣料において、
前記伸縮性腹部裏打ち布の接合部位は、前記衣料本体の前面裏側上縁（9）の左右の隅（10・11）のそれぞれと股間部（4）付近とを直線または内側に曲がった曲線で結ぶ前記左右対称軸に対し軸対称な２つの仮想線上にそれぞれ設けられている、
ことを特徴とする体形補整用ボトム衣料。
【請求項４】
請求項１に記載の体形補整用ボトム衣料において、
前記２枚の伸縮性腹部裏打ち布（2・3）は、パワー切り替え布からなり、
当該パワー切り替え布の主伸縮力方向における伸縮力は、前記左右対称軸に交差する上端を含む第1領域(102a・103a)および下端を含む第３領域(102c・103c)の両者が、両領域の中間に設けられた第２領域(102b・103b)よりも強い、
ことを特徴とする体形補整用ボトム衣料。
【請求項５】
請求項１に記載の体形補整用ボトム衣料において、
前記２枚の伸縮性腹部裏打ち布は、パワー切り替え布からなり、
前記パワー切り替え布の主伸縮力方向における伸縮力は、上下方向の全幅に対し最下端側１／３幅の下端領域(152c・153c)が、前記下端領域の直上１／３幅の中間領域(152b・153b)よりも強い、
ことを特徴とする体形補整用ボトム衣料。
【請求項６】
請求項１ないし５の何れかに記載の体形補整用ボトム衣料において、
前記体形補整用ボトム衣料は、更に大腿を覆うことができ、
前記衣料本体の背面裏側の左右両端部寄りには、衣料本体の上端近傍より少なくとも３０ｃｍ下方にまで延長する帯状の伸縮性側部裏打ち布（203・204）がそれぞれ配置され、
前記伸縮性側部裏打ち布（203・204）は、ヒップの両ふくらみの頂点に対応する仮想点(206・207)を通る第1仮想横線(208)が左右の伸縮性側部裏打ち布（203・204）を横切る位置をそれぞれの上端とし、前記左右対称軸に直交し且つ股間部(205)の最下点を通る第２仮想横線(209)が左右の伸縮性側部裏打ち布（203・204）を横切る位置をそれぞれの下端とし、前記上端から下端までの間の伸縮性側部裏打ち布の寸法（203・204）が、対応する表布の寸法によりも短く構成され、且つ前記上端近傍から下端近傍までの間を除く、左右伸縮性側部裏打ち布（203・204）のそれぞれの側縁が前記表布に接合されている、
ことを特徴とする体形補整用ボトム衣料。
【請求項７】
請求項１ないし６の何れかに記載の体形補整用ボトム衣料において、
前記衣料本体の背面裏側のヒップ割目充当部分に、伸縮可能な伸縮性ヒップ割目部裏打ち布(202)が配置され、
前記伸縮性ヒップ割目部裏打ち布(202)は、ヒップの両ふくらみ頂点に対応する点(206・207)を結ぶ第1仮想横線(208)の位置から、股間部に到るまでの間に表布浮き領域(221)が設けられ、当該表布浮き領域(221)は、当該領域における伸縮性ヒップ割目部裏打ち布(202)の上下方向寸法が、相対応する表布の寸法よりも短く構成された領域であり、
前記表布浮き領域(221)を除く、前記伸縮性ヒップ割目部裏打ち布(202)の周縁が前記表布に接合されている、
ことを特徴とする体形補整用ボトム衣料。
【請求項８】
請求項１ないし７の何れかに記載の体形補整用ボトム衣料において、
前記体形補整用ボトム衣料は、ガードル、ショーツ、ボディスーツ、レオタード、スパッツ、水着、スポーツ用タイツから選ばれる衣料である、
ことを特徴とする体形補整用ボトム衣料。
【発明の詳細な説明】
【技術分野】
【０００１】
本発明は、体形を整える衣料に関し、より詳しくは下腹やヒップの形状を整えるための体形補整用ボトム衣料に関する。
【背景技術】
【０００２】
今日衣料は、保温や身体保護という衣料の基本的な機能に加えて、よりスマートでより美しくという欲求を満たす手段としての役割が高まっている。特に、ガードル、ショーツ、ボディスーツなどのファンデーション類や、レオタード、水着、スパッツ、スポーツ用タイツなどの衣料においては、着用者の体形や姿勢を整える点に重点が移っている。
【０００３】
例えばファンデーション類などの衣料においては、腹部贅肉やヒップのたるみなどによる膨出を抑えてボディラインを美しく見せること望まれるが、膨出を抑えるために腹部等を強く圧迫することは着用者に苦痛ないし不快感を与えるので好ましくない。このため、この種の衣料においては、体形を美しく整えることができ、それでいて着用者に無用な圧迫を与えることのないものが求められる。このための技術が従来より種々提案されている。
【０００４】
例えば、特許文献１では、伸縮性の前部充当部片１と、伸縮性の脇−臀部充当部片２ａ、２ｂと縦方向にはほとんど伸びがないか又は縦横両方向とも伸びの少ない後部中央部片３で構成される後部充当部片とからなるガードル本体の前部充当部片１の表側に、腹部ほぼ中央部から左右の脇側に向かって略斜め上に斜行している緊締力を有する伸縮性腹部形状補整用部片５ａ、５ｂがその左右のほぼ両脇側縁部７ａ、７ｂで衣類本体に取り付けられ、且つ、その前中心部近傍６の一部は前部充当部片１の前中心部近傍部分に接合されているが、実質上その上下の縁部８ａ、８ｂ、９ａ、９ｂはガードル本体に接合されていないショートガードルが提案されている。
【０００５】
また、特許文献２では、ショートタイプのガードルの衣料本体９の裏側に少なくとも腹部中央部を覆っている腹部形状補整布１１を有しており、前記腹部形状補整布１１の周辺縁のうち、脇側の縁１３ａ、１３ｂは、その全長にわたって衣料本体に縫合されていないフリーの状態であり、上辺縁１０並びに下辺縁１２は、その全長が衣料本体９のウェストライン８ないし衣料本体９のクロッチ布５の前側の縁に縫合されているガードルが提案されている。
【０００６】
また、特許文献３では、緊締力の大きさが部位により異なる緊締部を着用者の人体にフィットする部位に含んで構成されるカードル（ショート、ロング）類が提案されている。
【０００７】
また、特許文献４では、ガードルの腹部分の上方から下方に向けて斜めに傾いた第１の腹部強緊締部Ａ１ａと、この第１の腹部強緊締部Ａ１ａの傾きとは反対の方向に傾いた第２の腹部強緊締部Ａ１ｂとを重ねる等した補整用衣類が提案されている。
【０００８】
【特許文献１】特開２０００−９６３０９号公報（要約）
【特許文献２】特開２００１−３０３３０６号公報（要約）
【特許文献３】特開２００４−１０７８４４号公報（要約）
【特許文献４】特開２００５-２８１８９９号公報（要約、段落0023―0024、図７）
【発明の開示】
【発明が解決しようとする課題】
【０００９】
上記各技術にかかる衣料は、よりスマートに、より美しくという着用者の要望を満たすものではある。しかし、本発明者らがこれらの技術について更に検討を重ねたところ、これらの技術に更なる工夫を加えることにより一層シィプアップ効果が高まることを知った。本発明はこの知見に基づいて完成された。
【００１０】
本発明の目的は、衣料本体の適所に合目的的かつ合理的に伸縮性裏打ち布を配置することにより、少ない素材量でもって、腹部形状およびヒップ形状を美しく整えることができ、かつ身体に無用な圧迫を与えることのない体形補整用ボトム衣料を提供することにある。
【課題を解決するための手段】
【００１１】
上記課題を解決するための本発明基本構成は次の通りである。
着用時に少なくとも下腹とヒップとを覆い、伸縮して下腹を押さえることのできる表面左右対称形状の体形補整用ボトム衣料であって、衣料本体を構成する伸縮性の衣料本体表布（17）と、前記衣料本体の前面裏側に配置された２枚の伸縮性腹部裏打ち布（2・3）と、を有してなり、前記２枚の伸縮性腹部裏打ち布（2・3）は、それぞれの主伸縮力方向が角度をもって交差するように重ね合わされ、かつ前記衣料本体の左右対称軸を挟んで対向する両端部(5・13、6・14)近傍が、それぞれ前記衣料本体表布（17）に接合されており、前記接合された部位の任意の点（22）から前記左右対称軸に降ろした垂線が当該対称軸を挟んで対向する他方接合部位点（23）に達するまでの距離である伸縮性腹部裏打ち布（2・3）の展開時寸法が、当該対向する２点間における衣料本体表布の寸法よりも常に短い、ことを特徴とする体形補整用ボトム衣料。
【００１２】
上記基本構成では、衣料本体の前面裏側に、左右の両端部(5・13、6・14)を衣料本体である表布にそれぞれ接合させた状態の２枚の伸縮性腹部裏打ち布（2・3）が配置されている。この２枚の伸縮性腹部裏打ち布（2・3）の主伸縮力方向(20・21)は逆向きに交差させられ、かつ上記左右の両端部(5・13、6・14)の伸縮性腹部裏打ち布の寸法(L)が、この間に充当されている表布寸法よりも短く構成してある。つまり、左右の接合部位間に充当されている表布は、伸縮性腹部裏打ち布（2・3）に対し浮き状態になっている。このような構成のボトム衣料を着用する場合、着用し始めの段階ではより長い寸法の表布の伸縮力が殆ど作用しないので、着用開始動作時における伸縮力が弱い。よって、着用開始動作時における着用性がよい。
【００１３】
その一方、短い寸法の腹部裏打ち布が伸ばされて、対応する表布と同寸法となる着用動作段階以降においては、腹部裏打ち布と表布の両者の伸縮力が合算された強い伸縮力が作用するようになる。ここで、本発明にかかるボトム衣料は先ず足を衣料に入れ、その後上方に引き上げて着用するものであるので、着用に際して、腹部のたるみやヒップのたるみは上方に引き上げられるが、この際、衣料本体の前面裏側に配置された２枚の伸縮性腹部裏打ち布が、腹部のたるみを身体中央線（左右対称軸）の斜め上方にそれぞれ引っ張り上げるように作用する。そして、着用動作が終了した時点においては、伸縮性腹部裏打ち布と伸縮性の表布の両者が合算した強い伸縮力が、引っ張り上げた形状をそのまま保持するように作用する。これにより、スッキリとした腹部ラインが形成され、かつ維持されることになる。また、伸縮性腹部裏打ち布が充当されていない他の部分においては、表布のみの弱い伸縮力が身体を押圧するのみであるので、身体に無用な圧迫感を与えない。
【００１４】
なお、この基本構成における「表面左右対称形状」とは、本ボトム衣料を着用した場合に外見に現れる構造が左右対称形であることをいい、この構造には布自体の模様や裏面構造は含まれない。
【００１５】
上記基本構成において、前記２枚の伸縮性腹部裏打ち布のそれぞれは、前記左右対称軸に対し主伸縮力方向が４０度以上、８０度以下となるように配置されている構成とすることができる。
【００１６】
左右対称軸と伸縮性腹部裏打ち布の主伸縮力方向との交差角度が４０〜８０度であると、真っ直ぐ上方への引っ張りに比較し、下腹の弛みを広範囲に拡散させ吸収させることができるので、無理なく膨出した下腹の形状を整えることができる。これに対して、伸縮性腹部裏打ち布の主伸縮力方向を前記左右対称軸に対して４０度未満とすると、垂直性が強くなるため、弛み肉を広い範囲に拡散させにくくなるとともに、引っ張り上げた状態をそのまま保持させることができにくい。このため、十分な整形効果が得られない。その一方、８０度を超えると、伸縮力を身体の横方向から身体の中心方向に作用させることになるので、圧迫感が強くなるとともに、斜め上方への引っ張り効果が得られなくなり、これまた十分な整形効果が得られなくなる。
【００１７】
以上からして、左右対称軸に対する角度が小さくなった場合および過度に角度が大きくなった場合には、腹部のたるみや贅肉を周囲に分散させ難くなる。このため、スッキリとした腹部ラインを形成させ、かつ心地よい着用感を得るためには、伸縮性腹部裏打ち布の主伸縮力方向を、好ましくは前記左右対称軸に対してそれぞれ４５度以上、７５度以下とし、より好ましくは６０度以上、７０度以下に規制する。
【００１８】
また、上記基本構成において、前記伸縮性腹部裏打ち布の接合部位が、前記衣料本体の前面裏側上縁（9）の左右の隅（10・11）のそれぞれと股間部（4）付近とを直線または内側に曲がった曲線で結ぶ前記左右対称軸に対し軸対称な２つの仮想線上にそれぞれ設けられている構成とすることができる。
【００１９】
上記のように、接合部位（５，６）を、前記衣料本体の前面裏側上縁（9）の左右隅（10・11）付近から股間部（４）付近とを結ぶ線分（直線または内側曲線）の上に形成し、かつ左右対称軸に対称な形状とすると、左右斜め上方への均等な引っ張り力が得られると共に、この線分で囲まれる領域に強い伸縮力を及ぼすと、腹部贅肉やたるみを腹部全体に拡散吸収させるのに極めて有効である（図１参照）。
【００２０】
この構成において、それぞれの伸縮性腹部裏打ち布の上端（７，８）を、好ましくは衣料本体の左右の上縁隅（10・11）から、対向する接合部位側に斜めに下がる直線状とし、これらの上端（７，８）を左右対称軸上で交差させる配置がよく、更にこの上端（７，８）と主伸縮力方向とが並行であることがより好ましい。伸縮性腹部裏打ち布の上端７・８が左右対称軸上で交差するように配置されていると、交差部の上方領域が斜め上方に持ち上げられた腹部贅肉等の逃がし易くなく、またＶ字状部が、着用時の圧迫感を減少させるように作用する。また、伸縮性腹部裏打ち布の使用面積が減少する分、コスト低減と衣料の軽量化に資する。
【００２１】
また、上記基本構成においては、前記２枚の伸縮性腹部裏打ち布（2・3）が、パワー切り替え布からなり、当該パワー切り替え布の主伸縮力方向における伸縮力は、前記左右対称軸に交差する上端を含む第1領域(102a・103a)および下端を含む第３領域(102c・103c)の両者が、両領域の中間に設けられた第２領域(102b・103b)よりも強いとする構成を付加することができる。
【００２２】
伸縮性腹部裏打ち布が、パワー切り替え布からなり、当該パワー切り替え布の主伸縮力方向における伸縮力が、前記左右対称軸に交差する上端を含む第1領域(102a・103a)および下端を含む第３領域(102c・103c)が両領域の中間に設けられた第２領域(102b・103b)よりも強いとする上記構成であると、表布に接合されていない伸縮性腹部裏打ち布の上端部分および下端部分がめくれ上がることを確実に防止できる。
【００２３】
また、上記基本構成においては、前記２枚の伸縮性腹部裏打ち布が、パワー切り替え布からなり、前記パワー切り替え布の主伸縮力方向における伸縮力が、上下方向の全幅に対し最下端側１／３幅の下端領域(152c・153c)が、前記下端領域の直上１／３幅の中間領域(152b・153b)よりも強いとする構成を付加することができる。
【００２４】
前記パワー切り替え布の主伸縮力方向における伸縮力が、少なくとも上下方向幅の最下端側１／３幅の領域を強くし、この最下端側の領域の直上１／３幅の中間領域を前者よりも弱くすると、下方から斜め上方への押し上げ力が一層大きくなるので、下腹の膨出を一層効果的に抑制することができる。
【００２５】
また、上記各構成の体形補整用ボトム衣料において、前記体形補整用ボトム衣料が、更に大腿を覆うことができ、前記衣料本体の背面裏側の左右両端部寄りには、衣料本体の上端近傍より少なくとも３０ｃｍ下方にまで延長する帯状の伸縮性側部裏打ち布（203・204）がそれぞれ配置され、前記伸縮性側部裏打ち布（203・204）は、ヒップの両ふくらみの頂点に対応する仮想点(206・207)を通る第1仮想横線(208)が左右の伸縮性側部裏打ち布（203・204）を横切る位置をそれぞれの上端とし、前記左右対称軸に直交し且つ股間部(205)の最下点を通る第２仮想横線(209)が左右の伸縮性側部裏打ち布（203・204）を横切る位置をそれぞれの下端とし、前記上端から下端までの間の伸縮性側部裏打ち布の寸法（203・204）が、対応する表布の寸法によりも短く構成され、且つ前記上端近傍から下端近傍までの間を除く、左右伸縮性側部裏打ち布（203・204）のそれぞれの側縁が前記表布に接合されている構成とすることができる。
【００２６】
この構成では、概ね太ももの裏に当接する部分に、伸縮性側部裏打ち布（203・204）が配置され、この伸縮性側部裏打ち布（203・204）の縦方向の側縁は特定部分を除き、表布が浮いた状態で接合されている。ここで特定部分とは、ヒップの両ふくらみ部の頂点に対応する点を含む第1仮想横線(208)が左右それぞれの伸縮性側部裏打ち布を横切る位置を上端とし、前記左右対称軸に直交し且つ股間部の最下点を含む第２仮想横線(209)が左右それぞれの伸縮性側部裏打ち布（203・204）を横切る位置を下端とし、前記上端から下端までの間をいうが、この部分を除く側縁が全て接合されているので、本衣料の着用時の初期段階では伸縮性側部裏打ち布（203・204）のみからなる上下方向の引っ張り力が作用し、その後、伸縮性側部裏打ち布（203・204）と衣料本体表布の伸縮力が合わさった伸縮力が作用する。これにより、着用し易いという効果と、着用後におけるヒップアップ保持作用および歩行補助作用を増大させる効果を得ることができる。
【００２７】
また、上記各構成の体形補整用ボトム衣料においては、更に、前記衣料本体の背面裏側のヒップ割目充当部分に、伸縮可能なヒップ割目部裏打ち布(202)が配置され、前記伸縮性ヒップ割目部裏打ち布(202)は、ヒップの両ふくらみ頂点に対応する点(206・207)を結ぶ第1仮想横線(208)の位置から、股間部に到るまでの間に表布浮き領域(221)が設けられ、当該表布浮き領域(221)は、当該領域における伸縮性ヒップ割目部裏打ち布(202)の上下方向寸法が、相対応する表布の寸法よりも短く構成された領域であり、前記表布浮き領域(221)を除く、前記伸縮性ヒップ割目部裏打ち布(202)の周縁が前記表布に接合されている構成を付加することができる。
【００２８】
この構成は、衣料本体の背面裏側に、表布浮き領域（２２１）を有する伸縮性ヒップ割目部裏打ち布（２０２）を配置した点に特徴を有するが、このような伸縮性ヒップ割目部裏打ち布がヒップ割目部分に充当されていると、伸縮性ヒップ割目部裏打ち布（２０２）がヒップ内側の両下部を包み込み上方に持ち上げるので、顕著なヒップアップ効果が得られる。
【００２９】
また、上記各構成の体形補整用ボトム衣料において、前記体形補整用ボトム衣料が、ガードル、ショーツ、ボディスーツ、レオタード、スパッツ、水着、スポーツ用タイツから選ばれる衣料である、とすることができる。
ガードル、ショーツ、ボディスーツ、レオタード、スパッツ、水着、スポーツ用タイツから選ばれる衣料において、上記各構成の作用効果が顕著に発揮される。
【発明の効果】
【００３０】
本発明によれば、伸縮性腹部裏打ち布の斜め上方向の収縮力により着用時に下腹部を斜め上方に引き上げ、着用完了後にはより強い押圧力によりこの状態を保持するので、腹部をスッキリした美しい形状に整形し維持することができる。
【００３１】
また、対応部分の表布よりも寸法を短くした浮かし構造の伸縮性側部裏打ち布を衣料本体の側面に配置した本発明によると、伸縮性側部裏打ち布がヒップを上方に引き上げるよう作用し、また歩行動作に応答して適度に太ももの裏側を上方に引っ張るように作用するので、歩行時における大腿からヒップに至るラインを美しくできる。更にまた、伸縮性側部裏打ち布は、歩行動作に応答して適度な伸縮力で歩行動作を補助するので、歩行し易くなる。
【００３２】
また、表布浮き領域を有する伸縮性ヒップ割目部裏打ち布がヒップ割目部に充当された本発明によると、ヒップ割目部裏打ち布が、ヒップの内側の弛みを包み込み、かつこれを上方に引き上げて保持する。よって、ヒップアップされた美しいヒップ形を形成できる。
【００３３】
以上から、本発明によると、腹部およびヒップのシルエットを美しき見せることのできる体形補整用ボトム衣料を少ない素材量でもって簡便に実現することができるという顕著な効果が得られる。
【発明を実施するための最良の形態】
【００３４】
本発明を実施するための最良の形態について、ボトム衣料の代表例であるカードルを例として説明する。なお、本発明は以下に説明する実施の形態に限定されるものでないことは勿論である。
【００３５】
〔実施の形態１〕
図１〜図３に基づいて実施の形態１にかかるガードルを説明する。図１(a)は、実施の形態１にかかるガードル１を裏返した場合における前面裏側面を示す（以下、前面裏側図という）。図１(b)は、ガードル１に取り付けた第1の伸縮性腹部裏打ち布２および第２の伸縮性腹部裏打ち布の形状を示す展開図である。図２はガードル１の技術内容をさらに説明するための補足図である。図３は実施の形態１にかかるガードル１を人が着用した場合における正面図である。
【００３６】
図１〜図３は、実施の形態１のガードル１の内容を説明するための概念図であり、写実的に描いた図ではない。図１（ａ）、（ｂ）においては、衣料裏側の正面に現れる輪郭線を大線で示し、伸縮性腹部裏打ち布２・３の主伸縮力方向を細線で示し、布の接合部分はジグザク線１３・１４で示してある。また、図３においては、伸縮性腹部裏打ち布２・３が表布の下側になり、外からは必ずしも見えないが、その存在を表すため破線で描いてある。なお、図３の表布部分（１７）に描かれた細線は、単に布の存在を描いたものであり、繊維方向を示すものではない。
【００３７】
更に、本明細書では、衣料の背面側を下側にし平面上に二次元的に展開した場合における、上側の面を「前面」と称し、その反対側の下側の面を「背面」と称し、衣類の内側を「裏側」と称する。言い換えると、本明細書でいう「前面」および「背面」は、着用時に外から見える外面を意味し、「裏側」または「裏側面」は、着用時に外から直接見えない内側の面（身体側の面）を意味しており、「背面」と「裏側」とは意味を違えて使用している。
【００３８】
また、本発明の衣料は左右対称性を有するが、この左右対称性は、人体正面（上記「前面」）または人体背面から着用衣料を見た場合における外見上の対称性であり、外から直接見えない衣料の内側構造を含まない。言い換えると、衣料の内側構造は左右対称でなくともよい。そしてここでいう左右対称性は、身体を装う衣料におけるおおよその対称性であり、数学的な厳格な意味における対称性ではない。なお、各図に記載された左右対称軸は、人体中心線と等価であるものとする。
【００３９】
次に本実施の形態１にかかるガードル１の具体的構造を説明する。図１(a)に示すように、ガードル１は、衣料本体を構成する衣料本体表布１７と、主伸縮力が衣料本体１７の上縁左隅１０から斜め右下方向に配向した第１の伸縮性腹部裏打ち布２と、主伸縮力が上縁右隅１１から斜め左下方向に配向した第２の伸縮性腹部裏打ち布３とで構成され、第１の伸縮性腹部裏打ち布２と第２の伸縮性腹部裏打ち布３とは、その上端７・８が左右対称軸上でＶ字状に交差している。
【００４０】
上記衣料本体表布１７は、縦横方向に伸縮可能な繊維系素材からなる布であり、伸縮性腹部裏打ち布２，３も、縦横方向に伸縮可能な繊維系素材からなる布である。衣料本体表布１７と伸縮性腹部裏打ち布２，３とは同一の素材であってもよいが、通常、伸縮性腹部裏打ち布２，３は衣料本体表布１７よりも伸縮性に優れた素材を使用する。そして、このガードル１においては、衣料本体表布１７よりも伸縮性に優れた伸縮性腹部裏打ち布２，３が使用され、かつその主伸縮力の強さが上下方向の何れの箇所においても均一な素材が使用されている。その形状は、図１（ｂ）に示す通りである。ただし、伸縮性腹部裏打ち布２，３中の細線は繊維自体を示すものではなく、観念的に主伸縮力方向を示す線である。
【００４１】
腹部に充当される表布は、図１（ａ）のジグザグ線で示す接合ライン１５・１６と衣料本体の上縁９で囲まれる形で示される逆三角形形状の一枚の布である。この逆三角形形状の表布はその周囲に連なる他の表布と接合ライン１５・１６部分（斜辺部分）において接合されている。なお、「衣料本体表布」というときは、衣料の表側を構成する全ての布を包含する概念で使用されている。
【００４２】
腹部に充当される第1の伸縮性腹部裏打ち布２及び第２の伸縮性腹部裏打ち布３は、それぞれの左右端５・１３及び６・１４が、上記接合ライン１５・１６を形成する際に表布と重ね合わされて衣料本体表布に接合固定されている。この際、図示し得ないが、接合ライン１５と接合ライン１６との間の逆三角形形状部分に充当される表布の左右方向寸法と、当該部分に充当される伸縮性腹部裏打ち布２、３の左右方向寸法とは長さを違えて接合する。すなわち、左右対称軸を挟んで軸対称に対向する上記接合ライン上の２つの点２２、２３を結ぶ距離Ｌ（これは伸縮性腹部裏打ち布の寸法である）が、この２点間における衣料本体表布の寸法よりも短くなるように構成される。
【００４３】
より詳しくは、図２に示すように、伸縮性腹部裏打ち布２,３の左右方向長（Ｌ）が、これに対応する部分の表布の左右方向長（Ｌ’とする）よりも短く（Ｌ<Ｌ’）なるようにして、各布を重ね合わせ、縮性腹部裏打ち布２,３の左右端部５・１３、６・１４が衣料本体表布に接合され固定される。この実施の形態１では、各布の接合は各布を縫合する方法により接合される。
【００４４】
また、上記接合ライン１５・１６は、衣料本体１７の上縁左隅１０または上縁右隅１１を一方端とし、股間部４近傍を他方端とする内側に凸の軸対称な曲線の上に形成されている。なお、伸縮性腹部裏打ち布２、３の上下方向のサイズは、当該部分の表布よりも小さいので、伸縮性腹部裏打ち布２、３の接合部位は接合ライン１５・１６の全長ではなく、その一部に重なった状態になる。
【００４５】
上記のごとく、伸縮性腹部裏打ち布２,３の左右端部は接合されているが、上端７、８と下端縁（符号なし）は衣料本体１７に接合されておらず、伸縮性腹部裏打ち布２,３とこれに対応する表布との間には、Ｌ<Ｌ’の関係が成立するように構成されている。
【００４６】
この構造を採用する主たる理由は、ＬとＬ’の差（Ｌ−Ｌ’）を変えることにより、またＬ/Ｌ’（〔Ｌ/Ｌ’〕<１）の比率を例えば衣料本体上縁９側と股間側とで変化させることにより、着用し始めから着用終了に到るまでの伸縮力を任意に制御することができるからである。
【００４７】
よって、この構造をボトム衣料に採用すると、同一の素材を用いた場合であっても身体整形効果と着心地感との調整を図り易いという顕著な効果が得られると共に、少ない素材量でもって所望の体形補整機能を持ったボトム衣料を実現することができる。ここで、Ｌ/Ｌ’は、０.８４〜０.９３程度であり、通常０.８９程度、より強く伸縮力を作用させたい場合には、例えば０.８５程度とする。０.８４以下では表布にだぶつきが生じ、０.９３以上では十分な効果が得られない。
【００４８】
また例えば、Ｌ/Ｌ’比が下方（股間側）に行くに従って大きくなるように設定すると、腹部の弛みを上方に持ち上げる力が大きく、かつ腹部の中央部には無用な押圧力を及ぼさない体形補整用ボトム衣料が得られる。
【００４９】
更に、実施の形態１の伸縮性腹部裏打ち布２,３は、その上端縁７・８と平行な方向に主伸縮力方向２０・２１が配向した布であり、布の上端縁７・８が左右対称軸上でＶ字状に交差し、更に左右対称軸に対する交差角θ1・θ2が共に６５度になるように配置されている。図３に実施の形態１にかかるガードル１を着用した場合の正面概念図を示す。この図から判るように、伸縮性腹部裏打ち布２，３が斜めに交差するように配置されていると、腹部中央付近（胃の部分）を必要以上に圧迫しないので好ましい。
【００５０】
主伸縮力方向２０・２１が左右対称軸と交差する交差角θ1、θ2は、必ずしも同じである必要はない。ただし、上記した理由から好ましくは同じとするのがよい。また、この交差角を大きくすると、身体を横締めする力が強くなるが、その分、圧迫感が増し着心地が悪くなると共に、腹部のたるみ肉を上方に持ち上げる効果が減少する。よって、スッキリとした腹部ラインを形成させ且つ着心地性を害さないようにするためには、交差角は、通常、４０度以上、８０度以下とし、好ましくは４５度以上、７５度以下、より好ましくは６０度以上、７０度以下とする。ただし、交差角θ1・θ2の設定値は、表布や伸縮性腹部裏打ち布の伸縮力の強さや、所望する整形力の程度を考量して適正に設定すればよい。
【００５１】
また、上記したように伸縮性腹部裏打ち布２，３の上端７，８の交差形状は、下に凸で、両者が左右対称軸上でＶ字状に交差する構造が好ましい。この構造であると、下腹を強く押圧できる一方、腹部中央部付近には伸縮性腹部裏打ち布が存在しないので、腹部中央部付近を無用に圧迫することがないと共に、伸縮性腹部裏打ち布２，３の主伸縮力方向が斜め上方に軸対称に引っ張り力を及ぼすので、下腹の膨出部分を左右に拡散させ左右対称形のスッキリした腹部シルエットを形成することができるという効果が得られる。ただし、本発明は、この構造に限定されるものではない。例えば上記上端縁７，８が左右対称軸上で交差していなくともよいし、図４に示すように、伸縮性腹部裏打ち布２，３の上端縁７，８が平衡に重なり合う構造でもよい。また、上端縁７と上端縁８の位置が上下にずれた状態で配置された構造でもよい。また、主伸縮力方向が左右対称となっていなくともよい。
【００５２】
また、実施の形態１（以下の実施の形態も同様）では、縫い合わせ法により接合されているが、例えば熱融着繊維や接着剤で接着する接合でも良い。接合方法としては、端部５・１３，６・１４の全長を接合するのでなく、所定間隔ごとの断続的接合でもよく、一定の間隔ごとのスポット接合でもよい。本明細書でいう「接合」とは、裏打ち布が表布と協働して伸縮力を及ぼすことができる状態とすることを意味し、接合部位の形状や接合手段は何ら限定されないからである。
【００５３】
また、「本明細書でいう「主伸縮力方向」とは、左右上下の何れの方向にも伸縮する素材においては、より強い伸縮力が得られる方向をいい、左右上下の伸縮力が同等である場合はその何れか一方が主伸縮力方向となる。
【００５４】
なお、ガードル１は、大腿部分においても布同士が接合されて円筒形状が形成されている。図１の符号１２はこの接合ラインを示している。
【００５５】
〔実施の形態２〕
実施の形態１においては、主伸縮力の強さが上下方向において均一な伸縮性腹部裏打ち布を用いたが、実施の形態２では、伸縮性腹部裏打ち布の中央部分の伸縮力に比較し、上端側と下端側の伸縮力が強い構造のパワー切り替え布を用いた。その他の事項については、実施の形態１と同様にして、実施の形態２にかかるガードルを作製した。
【００５６】
図５を用いて実施の形態２につき説明する。図５（ａ）は、実施の形態２にかかるガードル１００を裏返した場合における背面裏側図である。図５（ａ）、（ｂ）において、パワー切り替え布からなる２枚の伸縮性腹部裏打ち布１０２・１０３は、上縁を含む上部領域１０２a,１０３aと、下縁を含む下端領域１０２ｃ,１０３ｃの伸縮力が、その中央領域１０２b,１０３bの伸縮力よりも強く構成されている。なお、図中の濃い線で示す領域がそうでない領域よりも強い伸縮力を持っている部分である。
【００５７】
この実施の形態２にかかるガードルにおいても、伸縮性腹部裏打ち布１０２，１０３の上縁と下縁は衣料本体表布に接合されていないが、この構造において、上縁と下縁の伸縮力が中央領域１０２b・１０３bよりも強くなっているので、上縁と下縁の捲れ上がりが生じ難い。それゆえガードルの着用時に足先が伸縮性腹部裏打ち布に入り込むといったことが防げる。
【００５８】
〔実施の形態３〕
実施の形態３は、上記実施の形態２で用いた伸縮性腹部裏打ち布を、図６に示す構造の伸縮性腹部裏打ち布に代えたこと以外は上記実施の形態２と同様である。
【００５９】
図６に示す伸縮性腹部裏打ち布１５２・１５３は、パワー切り替え布からなる。このパワー切り替え布は、上下方向の全幅長を基準とし、下縁を含む１／３幅である下端領域１５２ｃ・１５３ｃの主伸縮力が、下端領域１５２ｃ・１５３ｃの直上１／３幅の中間領域１５２ｂ・１５３ｂの主伸縮力よりも強く構成されている。更にこの例では上縁を含む１／３幅の上端領域１５２ａ・１５３ａの主伸縮力が中間領域１５２ｂ・１５３ｂよりも弱く構成されている。つまり、実施の形態３のガードルには、下方に向って主伸縮力が３段階に強くなる２枚の伸縮性腹部裏打ち布が使用されている。
【００６０】
このような伸縮性腹部裏打ち布１５２・１５３は、下方の伸縮力がより強くなっているので、このような伸縮性腹部裏打ち布１５２・１５３を使用した実施の形態３にかかるガードルは、一層下腹部の弛みを上方に持ち上げる効果に優れる。なお、パワー切り替え布とは布の編み方を変えることにより、１枚の布中に伸縮力の異なる領域を設けた布をいい、図６では線密度で主伸縮力の強さを表している。
【００６１】
〔実施の形態４〕
実施の形態４にかかるガードルは、衣料本体前面裏側に、伸縮性腹部裏打ち布が配置され、更に衣料本体背面裏側の左右両側に、伸縮性側部裏打ち布がそれぞれ配置されると共に、衣料本体背面裏側の中央部分に、伸縮性ヒップ割目部裏打ち布が配置された構造である。この実施の形態におけるお衣料本体前面裏側は、上記実施の形態１と同様としたので、衣料本体前面裏側についての説明は省略する。
【００６２】
実施の形態４にかかるガードル２００を、図７〜９に基づいて説明する。図７は、衣料本体背面裏側図であり、図７において、衣料本体背面の裏側（人体に直接接する側）の左右それぞれの端部寄りに伸縮性側部裏打ち布２０３，２０４が配置され、衣料本体背面の裏側のヒップ割目に対応する部分には、伸縮性ヒップ割目部裏打ち布２０２が配置されている。
【００６３】
伸縮性側部裏打ち布２０３，２０４は、衣料本体２０１の最上端近傍から少なくとも３０ｃｍ下方までを延びる帯状の布であり、このものは上下方向に伸縮可能な素材からなる。なお、好ましくは横方向にも伸縮可能な素材を用いる。また、伸縮性側部裏打ち布２０３，２０４の長さは３０ｃｍ以上であればよいが、その長さは着用対象者の大きさ（ＬＬ，Ｌ，Ｍ，Ｓ等）に合わせるのが好ましく、通常は３０ｃｍ〜４０ｃｍ程度である。
【００６４】
伸縮性側部裏打ち布２０３・２０４のそれぞれの両側縁は、表布浮き領域２１８・２１９以外は衣料本体表布に接合されている。上記表布浮き領域２１８・２１９は、伸縮性側部裏打ち布の寸法よりも当該領域における表布の寸法の方が長くし、表布を浮いた状態とした領域をいい、この実施の形態では、表布浮き領域の位置は次のようにして定められている。
【００６５】
ヒップの両ふくらみ部の頂点に概ね対応する点２０６・２０７を結ぶ第1仮想横線２０８が左右それぞれの伸縮性側部裏打ち布の内側縁と交わる点２１０・２１４を上端点とし、左右対称軸に直交し且つ股間部２０５の最下点を通る第２仮想横線２０９が左右それぞれの伸縮性側部裏打ち布２０３・２０４の外側縁と交わる点２１３・２１７を下端点とする。そして、少なくとも上記上端点２１０から下端点２１３までの領域２１８、及び上端点２１４から下端点２１７までの間の領域２１９における伸縮性側部裏打ち布の寸法が、この領域における表布の寸法によりも短くなるように両布を重ねあわせ、少なくとも上記上端点から下端点までの間を除く、伸縮性側部裏打ち布の全ての側縁を表布に縫合または／および接着等して接合する。
【００６６】
ここで、この例では、伸縮性側部裏打ち布側縁の接合位置が同一ではなく、内側と外側とで上下にズレを設けてあるが、このようにズラしておくと、衣料を着用した際にボディラインに沿って内側の方が大きく伸びるので、上下のズレが調整され、この過程で体形補整効果が発揮される。よって、このようにするのが好ましいが、このようにすることは必須ではない。
【００６７】
すなわち、ヒップの両ふくらみ部の頂点に概ね対応する点２０６・２０７を結ぶ第1仮想横線２０８が左右それぞれの伸縮性側部裏打ち布を横切る位置を上端とし、左右対称軸に直交し且つ股間部２０５の最下点を通る第２仮想横線２０９が左右それぞれの伸縮性側部裏打ち布２０３・２０４を横切る位置を下端とし、上記上端から下端までの間の伸縮性側部裏打ち布の寸法を、この間の表布の寸法によりも短く構成し、上記上端近傍から下端近傍までの間を除く、伸縮性側部裏打ち布の全ての側縁を表布に接合する構造でよい。
【００６８】
次に、伸縮性ヒップ割目部裏打ち布２０２について説明する。図７において、伸縮性ヒップ割目部裏打ち布２０２は、衣料本体の背面裏側のヒップ割目充当部分に配置されるものであり、上下左右方向に伸縮可能な素材からなる。伸縮性ヒップ割目部裏打ち布２０２は左右対称軸に沿って略三角形ないし下広がりの略ひし形に形成されている。ただし、これらの形状に限定されるものではなく、ヒップを下から持ち上げることのできる形状であればよい。
【００６９】
また、伸縮性ヒップ割目部裏打ち布２０２は、ヒップの両ふくらみ頂点２０６・２０７に対応する点を結ぶ第1仮想横線２０８が横切る位置２２０から股間部の手前までの間に表布浮き領域２２１が設けられ、当該表布浮き領域２２１は、当該領域における伸縮性ヒップ割目部裏打ち布の上下方向寸法が、相対応する表布の寸法よりも短く構成されている。そして、表布浮き領域２２１を除く、伸縮性ヒップ割目部裏打ち布の全周縁が衣料本体表布２０１に縫合等の手段により接着され固定されている。
【００７０】
なお、上記した「ヒップの両ふくらみ頂点２０６・２０７に対応する点」は、対象とする標準的な着用者を想定した場合における両ヒップ頂点の仮想点であり、個々の着用者が実際に着用した場合におけるヒップトップ点を意味しない。
【００７１】
以上のような実施の形態４にかかるカードルを着用した場合における作用効果を、図８および図９を参照しながら説明する。図８は、当該ガードル２００を人が着用した場合における背面図であり、図９は、人が着用した場合における側面図である。図８、９においては、説明の都合上、本ガードルの内側に配置されている伸縮性側部裏打ち布２０３・２０４、伸縮性ヒップ割目部裏打ち布２０２、及び伸縮性腹部裏打ち布２・３を顕在化させて描いてあり、これらの図中の矢印は各裏打ち布が人体に作用する伸縮力の主な方向を示している。
【００７２】
伸縮性側部裏打ち布２０３・２０４は上下方向に伸縮性を有する。よって、ヒップの外側部分を上に持ち上げる作用があるが、この作用は表布より裏打ち布の寸法が短い部分（浮かし構造が形成された部分）２１８・２１９において一層強い。２１８・２１９部分は、ヒップの両ふくらみ頂点から股間部に到るまでの間に形成されており、ヒップの両下端が当接する部分であるので、この部分が強く上方に持ち上げられてヒップ形状が美しく整うことになる。
【００７３】
他方、伸縮性ヒップ割目部裏打ち布２０２は、ヒップ中央部分を上方に持ち上げるが、伸縮性ヒップ割目部裏打ち布２０２には表布浮き領域２２１が形成されているので、表布浮き領域２２１がヒップ中央下側を包み込んで、これを上方に持ち上げる。よって、実施の形態４にかかるガードル２００は、上記した伸縮性側部裏打ち布２０３・２０４の持ち上げ結果と相まって、ヒップシルエットを美しく見せることができる。
【００７４】
上記実施の形態１〜４においては、本発明をガードルに適用した場合について説明したが、本発明はガードルに限られるものではなく、ガードル、ショーツ、ボディスーツ、レオタード、スパッツ、水着、スポーツ用タイツなど、身体に密着させて着用する衣料に広く適用できる。
【００７５】
また、上記実施の形態４においては、伸縮性腹部裏打ち布、伸縮性側部裏打ち布、伸縮性ヒップ割目部裏打ち布の３つの要素を含む形態としたが、伸縮性腹部裏打ち布と伸縮性側部裏打ち布または伸縮性ヒップ割目部裏打ち布の組み合わせでもよい。
【００７６】
本発明で使用する表布、伸縮性腹部裏打ち布、伸縮性側部裏打ち布、伸縮性ヒップ割目部裏打ち布を構成する素材としては、伸縮性に加え、通気性、柔軟性、耐久性、保温性などに優れるものが好ましい。このような素材としては、例えばナイロン、ポリエステル、ポリウレタン、天然性繊維（綿、麻、バンブー）などを用いた布が挙げられ、特に縁始末が不要なヘムパワーネットを使用するのが、肌に跡がつかない、アウターにひびかないなどの点で好ましい。
また、表布の素材としては、伸縮性、緊縮性、耐久性の点でパワーネット、柄パワーネット、トリコット、２ウエイトリコットなどが好適である。なお、これらは例示であって制限的なものではない。
【産業上の利用可能性】
【００７７】
本発明の体形補整用ボトム衣料によると、少ない素材量でもって腹部形状およびヒップ形状を合目的的に美しく整えることができる。よって、その産業上の利用可能性は大きい。
【図面の簡単な説明】
【００７８】
【図１】図１(a)は実施の形態１にかかるガードルの前面裏側の構造を示す前面裏側図であり、図１(b)は当該ガードルに取り付けられる伸縮性腹部裏打ち布の展開図である。
【図２】図１のガードル構造をさらに説明する概略図である。
【図３】図１のガードルの着用状態における正面図である。
【図４】図４(a)は実施の形態1にかかるガードルの別例における前面裏側正面図であり、図４(b)は当該グガードルに取り付けられる裏打ち布の展開図である。
【図５】図５(a)は実施の形態２にかかるガードルの前面裏側の構造を示す前面裏側図であり、図５(b)は当該ガードルに取り付けられる伸縮性腹部裏打ち布の展開図である。
【図６】実施の形態３にかかるガードルに用いた伸縮性腹部裏打ち布の展開図である。
【図７】実施の形態４にかかるガードルの背面裏側の構造を示す背面裏側図である。
【図８】図７のガードルの着用状態における背面図である。
【図９】図７のガードルの着用状態における側面図である。
【符号の説明】
【００７９】
１        実施の形態１にかかるガードル
２        第１の伸縮性腹部裏打ち布
３        第２の伸縮性腹部裏打ち布
４        股間部
５・１３  第１の伸縮性腹部裏打ち布の左右端
６・１４  第２の伸縮性腹部裏打ち布の左右端
７        第１の伸縮性腹部裏打ち布の上端
８        第２の伸縮性腹部裏打ち布の上端
９        衣料本体の背面上縁
１０      衣料本体の背面上縁左端
１１      衣料本体の背面上縁右端
１２      大腿部を構成する布の接合ライン
１５・１６前面裏側腹部接合ライン
２０      第１の伸縮性腹部裏打ち布の主伸縮力方向
２１      第２の伸縮性腹部裏打ち布の主伸縮力方向
２２・２３伸縮性腹部裏打ち布の接合部位の互いに対向する点
Ｌ        伸縮性腹部裏打ち布の両端部間の距離（寸法）
５２      第１の伸縮性腹部裏打ち布
5３       第２の伸縮性腹部裏打ち布
１０１    実施の形態２にかかるガードル
１０２    第１の伸縮性腹部裏打ち布
１０２ａ  第１の伸縮性腹部裏打ち布の上部領域
１０２ｂ  第１の伸縮性腹部裏打ち布の中央領域
１０２ｃ  第１の伸縮性腹部裏打ち布の下部領域
１０３    第２の伸縮性腹部裏打ち布
１０３ａ  第２の伸縮性腹部裏打ち布の上部領域
１０３ｂ  第２の伸縮性腹部裏打ち布の中央領域
１０３ｃ  第２の伸縮性腹部裏打ち布の下部領域
１５２    第１の伸縮性腹部裏打ち布
１５２ａ  第１の伸縮性腹部裏打ち布の上端領域
１５２ｂ  第１の伸縮性腹部裏打ち布の中間領域
１５２ｃ  第１の伸縮性腹部裏打ち布の下端領域
１５３    第２の伸縮性腹部裏打ち布
１５３ａ  第２の伸縮性腹部裏打ち布の上端領域
１５３ｂ  第２の伸縮性腹部裏打ち布の中間領域
１５３ｃ  第２の伸縮性腹部裏打ち布の下端領域
２００    実施の形態4にかかるガードル
２０１    衣料本体表布
２０２    伸縮性ヒップ割目部裏打ち布
２０３・２０４   伸縮性側部裏打ち布
２０５    股間部
２０６・２０７   ヒップの両ふくらみ頂点の対応点  
２０８    第1仮想横線
２０９    第２仮想横線
２１０・２１４   内側交点
２１３・２１７   外側交点
２１１・２１５   上記内側交点の近傍点
２１２・２１６   上記外側交点の近傍点
２１８・２１９   浮かし構造部分
２２０    ヒップ割目部裏打ち布の表布浮き領域の上端点
２２１    表布浮き領域
【図１】
2007247117.tif 000003
【図２】
2007247117.tif 000004
【図３】
2007247117.tif 000005
【図４】
2007247117.tif 000006
【図５】
2007247117.tif 000007
【図６】
2007247117.tif 000008
【図７】
2007247117.tif 000009
【図８】
2007247117.tif 000010
【図９】
2007247117.tif 000011